(57)【要約】【課題】待機用映像を投写させる際の不都合を解消し得るプロジェクタを提供する。【解決手段】映像を投写する投写部１８と、映像ソースからの映像信号Ｓｐ１，Ｓｐ２に基づくソース映像を投写部１８に投写させると共に映像信号が出力停止している状態およびソース映像の投写停止を指示する指示操作が行われている状態のいずれかの状態において待機用映像を投写部１８に投写させる制御部１９と、周囲の明るさを検出する照度検出部１４とを備え、制御部１９は、上記のいずれかの状態において、照度検出部１４によって検出された周囲の明るさが明るいほど待機用映像を低い明度で投写部１８に投写させる明度調整処理を実行する。【選択図】図３
2009025338.tif 000002
【特許請求の範囲】
【請求項１】
映像を投写する投写部と、映像ソースからの映像信号に基づくソース映像を前記投写部に投写させると共に当該映像信号が出力停止している状態および当該ソース映像の投写停止を指示する指示操作が行われている状態のいずれかの状態において待機用映像を当該投写部に投写させる制御部とを備えたプロジェクタであって、
当該プロジェクタの周囲の明るさを検出する検出部を備え、
前記制御部は、前記いずれかの状態において前記検出部によって検出された前記周囲の明るさが明るいほど前記待機用映像を低い明度で前記投写部に投写させる明度調整処理を実行するプロジェクタ。
【請求項２】
複数段階の前記明るさと当該各明るさにそれぞれ対応付けられた前記明度とを含んで構成された明度特定テーブルを記憶する記憶部を備え、
前記制御部は、前記明度調整処理において、前記検出部によって検出された前記周囲の明るさに対応する前記明度を前記明度特定テーブルに基づいて特定する請求項１記載のプロジェクタ。
【請求項３】
前記明度特定テーブルを設定可能な操作部を備え、
前記制御部は、前記操作部の操作によって設定された前記明度特定テーブルを前記記憶部に記憶させる請求項２記載のプロジェクタ。
【請求項４】
映像ソースからの映像信号に基づくソース映像をプロジェクタの投写部に投写させると共に当該映像信号が出力停止している状態および当該ソース映像の投写停止を指示する指示操作が行われている状態のいずれかの状態において待機用映像を当該投写部に投写させる映像投写方法であって、
前記いずれかの状態において前記プロジェクタの周囲の明るさが明るいほど前記待機用映像を低い明度で前記投写部に投写させる映像投写方法。
【発明の詳細な説明】
【技術分野】
【０００１】
本発明は、映像ソースからの映像信号が出力停止している状態およびその映像信号に基づくソース映像の投写停止を指示する指示操作が行われている状態のいずれかの状態において待機用映像を投写するプロジェクタおよび映像投写方法に関するものである。
【背景技術】
【０００２】
一般家庭におけるプロジェクタの普及に伴い、ＤＶＤ等の映像ソースに記録されている映像コンテンツを再生して大型のスクリーンに大画面で投写することで家庭で楽しむプロジェクタの利用形態が一般化している。また、臨場感を高めるために、室内を暗くした状態で映像を投写して楽しむ利用形態も一般化している。この場合、例えば、再生が終了して映像信号の出力が停止したときや、所用のために再生（投写）を一時停止させる操作を行ったときには、室内が暗いために室内灯を点灯することすら困難となることがある。このような不都合を解消するため、映像信号の出力停止状態または投写停止操作が行われた状態において、待機用映像を明るく投写することによって室内の照明として機能させる機能を備えたプロジェクタ（例えば、特開２００５−９４４７５号公報において出願人が開示した案内画像を投写するプロジェクタ）が開発されている。
【特許文献１】特開２００５−９４４７５号公報（第５−６頁、第３図）
【発明の開示】
【発明が解決しようとする課題】
【０００３】
ところが、従来のプロジェクタには、改善すべき以下の課題がある。すなわち、この種のプロジェクタでは、映像信号の出力停止状態または投写停止操作が行われた状態において照明として機能する待機用映像を投写している。一方、この種のプロジェクタは、会議やプレゼンテーションなどにおいて説明用の映像を投写する際にも用いられる。この場合、例えば、室内の前方に設置したスクリーンに投写している説明用の映像を一時的に停止して、その間に室内前方の演壇で使用者（説明者）が説明を行うような使用形態では、室内が明るいために待機用映像を投写する必要性がないにも拘わらず、説明用の映像を停止している間は待機用映像が明るく投写されることとなる。このため、従来のプロジェクタでは、演壇上の使用者が眩しさを感じて説明に支障を来すことがあり、この点の改善が望まれている。
【０００４】
本発明は、かかる改善すべき課題に鑑みてなされたものであり、待機用映像を投写させる際の不都合を解消し得るプロジェクタおよび映像投写方法を提供することを主目的とする。
【課題を解決するための手段】
【０００５】
上記目的を達成すべく本発明に係るプロジェクタは、映像を投写する投写部と、映像ソースからの映像信号に基づくソース映像を前記投写部に投写させると共に当該映像信号が出力停止している状態および当該ソース映像の投写停止を指示する指示操作が行われている状態のいずれかの状態において待機用映像を当該投写部に投写させる制御部とを備えたプロジェクタであって、当該プロジェクタの周囲の明るさを検出する検出部を備え、前記制御部は、前記いずれかの状態において前記検出部によって検出された前記周囲の明るさが明るいほど前記待機用映像を低い明度で前記投写部に投写させる明度調整処理を実行する。
【０００６】
また、本発明に係る映像投写方法は、映像ソースからの映像信号に基づくソース映像をプロジェクタの投写部に投写させると共に当該映像信号が出力停止している状態および当該ソース映像の投写停止を指示する指示操作が行われている状態のいずれかの状態において待機用映像を当該投写部に投写させる映像投写方法であって、前記いずれかの状態において前記プロジェクタの周囲の明るさが明るいほど前記待機用映像を低い明度で前記投写部に投写させる。
【０００７】
このプロジェクタおよび映像投写方法によれば、プロジェクタの周囲の明るさが明るいほど待機用映像を低い明度で投写部に投写させることにより、室内の明るさに拘わらず待機用映像が明るく投写される従来のプロジェクタとは異なり、明るい室内においては必要以上に高い明度での待機用映像の投写が回避されて低い明度での待機用映像の投写が行われる。このため、ソース映像の一時的な投写停止状態において使用者が投写位置の近傍で説明を行うような使用形態においても、高い明度での待機用映像の投写に起因して使用者が眩しさを感じるような不都合を確実に解消することができる。また、逆に、暗い室内においては高い明度での待機用映像の投写が行われて室内を明るく照らすことができる。
【０００８】
また、本発明に係るプロジェクタは、上記のプロジェクタにおいて、複数段階の前記明るさと当該各明るさにそれぞれ対応付けられた前記明度とを含んで構成された明度特定テーブルを記憶する記憶部を備え、前記制御部は、前記明度調整処理において、前記検出部によって検出された前記周囲の明るさに対応する前記明度を前記明度特定テーブルに基づいて特定する。
【０００９】
このプロジェクタによれば、明度調整処理において、予め記憶部に記憶されている明度特定テーブルに基づいてプロジェクタの周囲の明るさに対応する明度を特定することにより、例えばプロジェクタの周囲の明るさに基づいて演算によって明度を特定する構成と比較して、明度調整処理を高速に行うことができる。
【００１０】
また、本発明に係るプロジェクタは、上記のプロジェクタにおいて、前記明度特定テーブルを設定可能な操作部を備え、前記制御部は、前記操作部の操作によって設定された前記明度特定テーブルを前記記憶部に記憶させる。
【００１１】
このプロジェクタによれば、制御部が、操作部の操作によって設定された明度特定テーブルを記憶部に記憶させることにより、使用場所や使用形態に応じて明度特定テーブルを任意に変更することができるため、プロジェクタの利便性を十分に向上させることができる。
【発明を実施するための最良の形態】
【００１２】
以下、本発明に係るプロジェクタおよび映像投写方法の最良の形態について、添付図面を参照して説明する。図１，２に示すプロジェクタ１は、本発明に係るプロジェクタの一例であって、図３に示すように、ＤＶＤ再生部１１、信号入力部１２、映像信号処理部１３、照度検出部１４、操作部１５、記憶部１６、電源部１７、投写部１８および制御部１９を備えて構成されている。なお、プロジェクタ１は、実際には、音声出力部を備えて音声を出力可能に構成されているが、本発明の理解を容易とするため、その図示および説明を省略する。
【００１３】
ＤＶＤ再生部１１は、ＤＶＤ２（本発明における映像ソースの一例：図４参照）に記録されている映像を再生して映像信号Ｓｐ（以下、ＤＶＤ再生部１１からの映像信号Ｓｐを「映像信号Ｓｐ１」ともいう）を出力する。信号入力部１２は、外部装置から出力された映像信号Ｓｐ（以下、外部装置からの映像信号Ｓｐを「映像信号Ｓｐ２」ともいう）を入力して映像信号処理部１３に転送する。映像信号処理部１３は、ＤＶＤ再生部１１から出力された映像信号Ｓｐ１や信号入力部１２によって転送された映像信号Ｓｐ２を映像投写用の投写用データＤｉに変換して出力する。
【００１４】
照度検出部１４は、プロジェクタ１の筐体に配設されて、プロジェクタ１の周囲の明るさ（具体的には、照度Ｉｉ）を検出して検出信号Ｓｄを出力する。操作部１５は、図１，２に示すように、プロジェクタ１の筐体に配設された電源スイッチ３１、モード切替キー３２、再生キー３３および一時停止キー３４などの各種の操作キーを備えて構成され、これらのスイッチや各キーが操作されたときに、そのスイッチやキーに対応する操作信号Ｓｏを出力する。
【００１５】
記憶部１６は、制御部１９によって実行される映像投写処理５０（図６参照）内の明度調整処理（これについては後述する）において用いられる明度特定テーブルＴｂを記憶する。ここで、明度特定テーブルＴｂは、投写部１８に待機用映像Ｐｒを投写させる際に、プロジェクタ１の周囲の照度（明るさ）Ｉｉに応じて変更する待機用映像Ｐｒの明度Ｂｉを特定するためのテーブルであって、複数段階の照度Ｉｉを示すデータと各照度Ｉｉにそれぞれ対応付けられた各明度Ｂｉを示すデータとを含んで構成されている。具体的には、このプロジェクタ１では、上下限値（または上限値のみ若しくは下限値のみ）でそれぞれ規定した複数（一例として３つ）の照度Ｉｉの範囲を示すデータ、および各照度Ｉｉの範囲にそれぞれ対応付けられた明度Ｂｉを示すデータを含んで明度特定テーブルＴｂが構成されている。
【００１６】
この場合、第１段階として０ｌｘ（ルクス）以上２０ｌｘ未満の範囲（以下、「第１範囲」ともいう）が規定され、第２段階として２０ｌｘ以上８０ｌｘ未満の範囲（以下、「第２範囲」ともいう）が規定され、第３段階として８０ｌｘ以上の範囲（以下、「第３範囲」ともいう）が規定されている。また、第１範囲には最高値の明度Ｂｉ１（白色）が対応付けられ、第２範囲には最高値を１０としたときに値５に相当する明度Ｂｉ２が対応付けられ、第３範囲には最高値を１０としたときに値３に相当する明度Ｂｉ３が対応付けられている。つまり、照度Ｉｉが高いほど（周囲の明るさが明るいほど）低い明度Ｂｉが対応付けられている。また、記憶部１６は、操作部１５の操作によって選択されたモード（例えば、ＤＶＤ再生モードや外部映像投写モード）を示すモードデータＤｍを記憶する。
【００１７】
電源部１７は、制御部１９の制御に従ってプロジェクタ１を構成する各部に電源を供給する。投写部１８は、図外の光源および光変調素子（一例として、液晶ライトバルブやＤＭＤ（Digital Micromirror Device））、並びに図１に示す投写レンズ１８ａを備えて構成され、映像信号処理部１３から出力される投写用データＤｉに基づいて光変調した投写光Ｌ（図４参照）を出力することにより、各種の映像をスクリーン１００（同図参照）に投写する。
【００１８】
制御部１９は、プロジェクタ１を構成する各構成要素を制御する。また、制御部１９は、図６に示す映像投写処理５０を実行することにより、上記した映像信号Ｓｐ１および映像信号Ｓｐ２を変換した投写用データＤｉに基づくソース映像Ｐｓ（つまり、映像信号Ｓｐ１に基づくソース映像Ｐｓ１および映像信号Ｓｐ２に基づくソース映像Ｐｓ２：図４，５参照）、並びに待機用映像Ｐｒ（図７，８参照）を投写部１８に投写させる。この場合、待機用映像Ｐｒは、映像信号Ｓｐ１，Ｓｐ２が出力停止している状態（以下、「出力停止状態」ともいう）、およびソース映像Ｐｓの投写停止を指示する指示操作が行われている状態のいずれかの状態、つまりプロジェクタ１が投写の待機中であることを示す映像であって、一例として、単色の背景画像や、待機中であることを示す文字などを含む静止画像で構成されている。また、制御部１９は、映像投写処理５０において明度調整処理を実行することにより、プロジェクタ１の周囲の照度Ｉｉに応じた明度Ｂｉ、具体的には、照度Ｉｉが高いほど（プロジェクタ１の周囲が明るいほど）低い明度Ｂｉで投写部１８に待機用映像Ｐｒを投写させる。
【００１９】
次に、プロジェクタ１の使用方法の一例、およびその際のプロジェクタ１の動作について、図面を参照して説明する。なお、このプロジェクタ１では、初期状態において、ＤＶＤ再生モードが選択されており、現在のモードの状態を示すモードデータＤｍが記憶部１６に記憶されている。
【００２０】
まず、図７に示すように、家庭のリビングルームＲ１等において、ＤＶＤ２に記録されている映像をプロジェクタ１を用いてスクリーン１００に投写して鑑賞する際の使用方法について説明する。このプロジェクタ１では、操作部１５の電源スイッチ３１が投入されたときに、操作部１５が、電源スイッチ３１に対応する操作信号Ｓｏを出力し、制御部１９が操作信号Ｓｏに従って図６に示す映像投写処理５０を実行する。この映像投写処理５０では、制御部１９は、まず、プロジェクタ１を構成する各部を初期化し、次いで、電源部１７を制御して各部に対する電源供給を開始させる（ステップ５１）。これに応じて、投写部１８の光源が点灯する。また、照度検出部１４がプロジェクタ１の周囲の照度Ｉｉを検出して検出信号Ｓｄを出力する。続いて、制御部１９は、現在選択されているモードがＤＶＤ再生モードであるか否かをモードデータＤｍに基づいて判別する（ステップ５２）。
【００２１】
この場合、初期状態においてＤＶＤ再生モードが選択されているため、制御部１９は、その状態を判別して、次いで、ＤＶＤ再生部１１から映像信号Ｓｐ１が出力されているか否か、つまりＤＶＤ２の再生が行われているか否かを判別する（ステップ５３）。この際に、制御部１９は、この時点ではＤＶＤ２の映像の再生が行われていないため、待機用映像Ｐｒを投写させる待機用映像投写処理およびその待機用映像Ｐｒの明度Ｂｉを調整する明度調整処理を実行する。具体的には、制御部１９は、照度検出部１４から出力された検出信号Ｓｄに基づいて照度Ｉｉを特定する。続いて、制御部１９は、明度特定テーブルＴｂに基づき、特定した照度Ｉｉが第１範囲（０ｌｘ以上２０ｌｘ未満の範囲）に含まれているか否かを判別する（ステップ５４）。
【００２２】
この場合、例えば、プロジェクタ１が設置されているリビングルームＲ１の照度Ｉｉが５０ｌｘ程度（一般家庭における室内の通常の照度）のときには、制御部１９は、ステップ５４において照度Ｉｉが第１範囲に含まれていないと判別して、次いで、照度Ｉｉが第２範囲（２０ｌｘ以上８０ｌｘ未満の範囲）に含まれているか否かを判別する（ステップ５５）。この際に、制御部１９は、照度Ｉｉが５０ｌｘ程度のため、照度Ｉｉが第２範囲に含まれていると判別して、明度特定テーブルＴｂに基づき、第２範囲に対応付けられている明度Ｂｉ２（上記した最高値に対して値５に相当する明度）を特定する。続いて、制御部１９は、投写部１８を制御して、明度Ｂｉ２での待機用映像Ｐｒの投写を開始させる（ステップ５６）。これにより、例えばリビングルームＲ１に設置されたスクリーン１００に待機用映像Ｐｒが投写される。
【００２３】
次いで、ＤＶＤ再生部１１にＤＶＤ２をセットし、続いて、操作部１５の再生キー３３を操作する。この際に、ＤＶＤ再生部１１が、ＤＶＤ２に記録されている映像を再生して映像信号Ｓｐ１を出力し、映像信号処理部１３が、映像信号Ｓｐ１を投写用データＤｉに変換して出力する。この際に、制御部１９は、上記したステップ５３において、再生状態であると判別して、投写部１８を制御して、投写用データＤｉに基づくソース映像Ｐｓ１の投写を開始させる（ステップ５７）。これにより、図４に示すように、スクリーン１００にソース映像Ｐｓ１が投写される。
【００２４】
ここで、例えば、所用のためにＤＶＤ２の再生を一時停止するときには、操作部１５の一時停止キー３４を操作する。これに応じて、ＤＶＤ再生部１１は、映像信号Ｓｐ１の出力を停止する。一方、制御部１９は、ステップ５３において、再生状態ではないと判別して、上記した待機用映像投写処理および明度調整処理を実行する。ここで、例えば、リビングルームＲ１の照明を消灯してプロジェクタ１の周囲の照度Ｉｉが５ｌｘ程度の暗い状態でＤＶＤ２の再生を行っていたときには、制御部１９は、上記したステップ５４において照度Ｉｉが第１範囲に含まれていると判別する。この際には、制御部１９は、明度特定テーブルＴｂに基づき、第１範囲に対応付けられている明度Ｂｉ１（上記した明度の最高値）を特定して、次いで、投写部１８を制御して、明度Ｂｉ１での待機用映像Ｐｒの投写を開始させる（ステップ５８）。この場合、待機用映像Ｐｒが最高値の明度Ｂｉ１で投写されるため、待機用映像Ｐｒの投写が明かりとして機能し、照明を消灯したままの状態で支障なくリビングルームＲ１の外に出ることができる。
【００２５】
続いて、ＤＶＤ２の再生を再開するときには、操作部１５の再生キー３３を再度操作する。これに応じて、ＤＶＤ再生部１１が映像信号Ｓｐ１の出力を再開し、制御部１９が上記したステップ５２，５３，５７を実行することにより、投写部１８によるソース映像Ｐｓ１の投写が再開される。
【００２６】
次に、図８に示すように、会議室Ｒ２において、説明用の映像をプロジェクタ１を用いてスクリーン１００に投写して会議やプレゼンテーションを行う際の使用例について説明する。まず、図５に示すように、本発明における映像ソースの一例としてのパソコン３とプロジェクタ１とを接続ケーブルで接続した後に、操作部１５の電源スイッチ３１を投入し、次いで、操作部１５のモード切替キー３２を操作して外部映像投写モードを選択する。これに応じて、制御部１９は、外部映像投写モードが選択されたことを示すモードデータＤｍを記憶部１６に記憶させる。
【００２７】
続いて、制御部１９は、映像投写処理５０を実行する。この場合、制御部１９は、上記した家庭における使用例の動作と同様にして、ステップ５１，５２を実行する。この例では、外部映像投写モードが選択されているため、制御部１９は、ステップ５２において、ＤＶＤ再生モードではないと判別して、次いで、外部装置からの映像信号Ｓｐ２が出力停止状態か否かを判別する（ステップ５９）。この場合、パソコン３から映像信号Ｓｐ２が出力されているときには、制御部１９は、ステップ５９において映像信号Ｓｐ２の出力停止状態ではないと判別し、続いて、投写部１８を制御して、映像信号処理部１３から出力された投写用データＤｉ（映像信号Ｓｐ２を変換した投写用データＤｉ）に基づくソース映像Ｐｓ２の投写を開始させる（ステップ６０）。これにより、図５に示すように、スクリーン１００にソース映像Ｐｓ２が投写される。
【００２８】
次いで、例えば、ソース映像Ｐｓ２の投写を一時停止するときには、操作部１５の一時停止キー３４を操作する（本発明における指示操作）。この際に、制御部１９は、ステップ５９において、映像信号Ｓｐ２が出力停止状態であると判別して、上記した待機用映像投写処理および明度調整処理を実行する。ここで、例えば、プロジェクタ１の周囲の照度Ｉｉが９０ｌｘ程度（一般的な会議室における通常の照度）のときには、制御部１９は、上記したステップ５４において照度Ｉｉが第１範囲に含まれていないと判別し、続いて、上記したステップ５５において照度Ｉｉが第２範囲に含まれていないと判別する。つまり、このときには、制御部１９は、照度Ｉｉが第３範囲に含まれていると判別する。
【００２９】
次いで、制御部１９は、明度特定テーブルＴｂに基づき、第３範囲に対応付けられている明度Ｂｉ３（上記した最高値に対して値３に相当する明度）を特定する。続いて、制御部１９は、投写部１８を制御して、明度Ｂｉ３での待機用映像Ｐｒの投写を開始させる（ステップ６１）。これにより、図８に示すように、待機用映像Ｐｒが明度Ｂｉ３でスクリーン１００に投写される。ここで、例えば、プロジェクタ１の周囲の照度Ｉｉが７０ｌｘ程度のやや明るい状態のときには、制御部１９は、上記したステップ５５において照度Ｉｉが第２範囲内であると判別して待機用映像Ｐｒを明度Ｂｉ２で投写させる（ステップ５６）。また、プロジェクタ１の周囲の照度Ｉｉが５ｌｘ程度の暗い状態のときには、制御部１９は、上記したステップ５４において照度Ｉｉが第１範囲内であると判別して待機用映像Ｐｒを明度Ｂｉ１で投写させる（ステップ５８）。つまり、制御部１９は、プロジェクタ１の周囲の照度Ｉｉ、つまり会議室Ｒ２内の照度Ｉｉが高いほど待機用映像Ｐｒを低い照度Ｉｉで投写させ、照度Ｉｉが低いほど待機用映像Ｐｒを高い照度Ｉｉで投写させる。このため、このプロジェクタ１では、室内の照度Ｉｉの高低に拘わらず待機用映像Ｐｒが明るく投写される従来のプロジェクタとは異なり、明るい室内においては低い明度Ｂｉでの待機用映像Ｐｒの投写が行われ、暗い室内においては高い明度Ｂｉでの待機用映像Ｐｒの投写が行われる。したがって、このプロジェクタ１では、ソース映像Ｐｓ２の一時的な投写停止状態において使用者が投写位置の近傍で説明を行うような使用形態において、高い明度Ｂｉでの待機用映像Ｐｒの投写に起因して使用者が眩しさを感じるような不都合を確実に解消することが可能となっている。
【００３０】
次いで、ソース映像Ｐｓ２の投写を再開するときには、操作部１５の一時停止キー３４を再度操作して一時停止状態を解除する。これに応じて、制御部１９が上記したステップ５２，５９，６０を実行することにより、投写部１８によるソース映像Ｐｓ２の投写が再開される。
【００３１】
このように、このプロジェクタ１および映像投写方法によれば、照度検出部１４によって検出された照度Ｉｉが高いほど待機用映像Ｐｒを低い明度Ｂｉで投写することにより、室内の照度Ｉｉの高低に拘わらず待機用映像Ｐｒが明るく投写される従来のプロジェクタとは異なり、明るい室内においては必要以上に高い明度Ｂｉでの待機用映像Ｐｒの投写が回避されて低い明度Ｂｉでの待機用映像Ｐｒの投写が行われる。このため、ソース映像Ｐｓ２の一時的な投写停止状態において使用者が投写位置の近傍で説明を行うような使用形態においても、高い明度Ｂｉでの待機用映像Ｐｒの投写に起因して使用者が眩しさを感じるような不都合を確実に解消することができる。また、逆に、暗い室内においては高い明度Ｂｉでの待機用映像Ｐｒの投写が行われて室内を明るく照らすことができる。
【００３２】
また、このプロジェクタ１および映像投写方法によれば、明度調整処理において、予め記憶部１６に記憶されている明度特定テーブルＴｂに基づいて、照度検出部１４によって検出されたプロジェクタ１の周囲の照度Ｉｉに対応する明度Ｂｉを特定することにより、例えば検出された照度Ｉｉに基づいて演算によって明度Ｂｉを特定する構成および方法と比較して、明度調整処理を高速に行うことができる。
【００３３】
なお、本発明は、上記の構成に限定されない。例えば、複数の照度Ｉｉの範囲および各範囲に対応する明度Ｂｉが予め設定された明度特定テーブルＴｂを用いる構成例について上記したが、操作部１５を用いて、照度Ｉｉの範囲や対応させる明度Ｂｉを任意に設定し、その設定したデータを含む明度特定テーブルＴｂを記憶部１６に記憶させて明度調整処理において用いる構成を採用することもできる。この構成によれば、使用場所や使用形態に応じて明度特定テーブルＴｂを任意に変更することができるため、プロジェクタ１の利便性を十分に向上させることができる。
【００３４】
また、明度特定テーブルＴｂにおける照度Ｉｉの範囲を３つに規定した例について上記したが、照度Ｉｉの範囲は３つに限定されず任意に規定することができる。また、ＤＶＤ再生部１１を備えたプロジェクタ１を例に挙げて説明したが、ＤＶＤ再生部１１を備えていない構成、つまり外部装置からの映像信号Ｓｐ２に基づくソース映像Ｐｓのみを投写するプロジェクタに適用することもできる。
【図面の簡単な説明】
【００３５】
【図１】プロジェクタ１の投写レンズ１８ａ側から見た斜視図である。
【図２】プロジェクタ１のＤＶＤ再生部１１側から見た斜視図である。
【図３】プロジェクタ１の構成を示すブロック図である。
【図４】ソース映像Ｐｓ１の投写方法を説明するための説明図である。
【図５】ソース映像Ｐｓ２の投写方法を説明するための説明図である。
【図６】映像投写処理５０のフローチャートである。
【図７】待機用映像Ｐｒの投写方法を説明するための第１の説明図である。
【図８】待機用映像Ｐｒの投写方法を説明するための第２の説明図である。
【符号の説明】
【００３６】
１  プロジェクタ、２  ＤＶＤ、３  パソコン、１４  照度検出部、１５  操作部、１６  記憶部、１８  投写部、１９  制御部、Ｐｒ  待機用映像、Ｐｓ１，Ｐｓ２  ソース映像、Ｓｐ１，Ｓｐ２  映像信号、Ｔｂ  明度特定テーブル
【図１】
2009025338.tif 000003
【図２】
2009025338.tif 000004
【図３】
2009025338.tif 000005
【図４】
2009025338.tif 000006
【図５】
2009025338.tif 000007
【図６】
2009025338.tif 000008
【図７】
2009025338.tif 000009
【図８】
2009025338.tif 000010